(57)【特許請求の範囲】
【請求項１】
複数の原稿画像を予め設定された集約数毎に集約した集約原稿画像と、当該原稿画像の原稿ページに対応するページ番号と、当該集約原稿画像が転写紙上に形成されて出力される順に対応する転写紙番号と、を備えた合成画像を合成する合成手段と、
前記集約原稿画像の１箇所に前記転写紙番号を付加させるか、又は前記集約原稿画像における各原稿画像に前記転写紙番号を付加させるか、を選択可能とする選択手段と、
前記合成手段により、前記選択手段で選択された内容を反映させて合成した合成画像を、前記転写紙上に形成して出力する画像形成出力手段と、
を備えることを特徴とする画像形成装置。
【請求項２】
複数の原稿画像を、予め設定された集約数毎に集約した集約原稿画像を生成する生成手段と、
前記生成手段により生成される集約原稿画像における各原稿画像に、当該原稿画像の原稿ページに対応するページ番号を付加する設定を行うページ番号設定手段と、
前記生成手段により生成される集約原稿画像の１箇所に、当該集約原稿画像が転写紙上に形成されて出力される順に対応する転写紙番号を付加する設定を行う第１の転写紙番号設定手段と、
前記生成手段により生成される集約原稿画像における各原稿画像に、前記転写紙番号を付加する設定を行う第２の転写紙番号設定手段と、
前記第１の転写紙番号設定手段による転写紙番号を付加する設定か、或いは前記第２の転写紙番号設定手段による転写紙番号を付加する設定か、を選択する選択手段と、
前記生成手段により生成された集約原稿画像に、前記ページ番号設定手段により設定されたページ番号と、前記選択手段により選択された前記第１又は第２の転写紙番号設定手段により設定された転写紙番号と、を付加した合成画像を合成する合成手段と、
前記合成手段により合成された合成画像を、前記転写紙上に形成して出力する画像形成出力手段と、
を備えることを特徴とする画像形成装置。
【請求項３】
請求項２に記載の画像形成装置において、
前記合成手段による前記転写紙番号の付加位置を選択する付加位置選択手段を備えることを特徴とする画像形成装置。
【請求項４】
複数のページ画像を、予め設定された集約数毎に集約した集約ページ画像を生成する生成手段と、
前記生成手段により生成される集約ページ画像における各ページ画像に、当該ページ画像に対応するページ番号を付加する設定を行うページ番号設定手段と、
前記生成手段により生成される集約ページ画像の１箇所に、当該集約ページ画像が生成される順に対応する集約ページ番号を付加する設定を行う第１の集約ページ番号設定手段と、
前記生成手段により生成される集約ページ画像における各ページ画像に、前記集約ページ番号を付加する設定を行う第２の集約ページ番号設定手段と、
前記第１の集約ページ番号設定手段による集約ページ番号を付加する設定か、或いは前記第２の集約ページ番号設定手段による集約ページ番号を付加する設定か、を選択する選択手段と、
前記生成手段により生成された集約ページ画像と、前記ページ番号設定手段により設定されたページ番号と、前記選択手段により選択された前記第１又は第２の集約ページ番号設定手段により設定された集約ページ番号と、を備えた合成画像を合成する合成手段と、
を備えることを特徴とする画像処理装置。 
【発明の詳細な説明】
【技術分野】
【０００１】
本発明は、画像形成装置及び画像処理装置に関する。
【背景技術】
【０００２】
従来、例えば、複数の原稿画像を所定の数（集約数）毎に集約し、当該集約した集約原稿画像を１枚の転写紙上に形成して出力する機能を備えた複写機やファクシミリなどの画像形成装置が知られている。また、集約原稿画像を出力する際に、ページ番号などの所定の番号を付加して出力する機能を備えた画像形成装置も知られている。
【０００３】
上述する画像形成装置においては、具体的には、例えば、図２１に示すように、１２枚の原稿（原稿１０１〜１１２）における原稿画像を４つ毎に集約し、当該集約した集約原稿画像（集約原稿画像Ｃ１，Ｃ２，Ｃ３）を１枚の転写紙（転写紙８１０，８２０，８３０，９１０，９２０，９３０）上に形成して出力するようになっている。さらに、集約原稿画像とともに、当該集約原稿画像に付加した原稿ページ（「出力パターン１」の番号８１１，８２１，８３１）や当該集約原稿画像の出力順（「出力パターン２」の番号９１２，９２２，９３２）なども、転写紙上に形成して出力することができるようになっている（例えば、特許文献１参照）。
【特許文献１】特開平１０−１７３９０３号公報
【発明の開示】
【発明が解決しようとする課題】
【０００４】
しかしながら、図２１の「出力パターン１」及び「出力パターン２」では、どの原稿画像がどの転写紙上に形成されて出力されたか明確になっていないため、所望の原稿画像を探す際や出力枚数を管理する際などに手間がかかるという問題がある。
具体的には、例えば、図２１の「出力パターン１」では、転写紙毎の番号が付加されていないため、どの原稿画像が、何枚目の転写紙上に形成されて出力されたか分かりにくい。さらに、出力された転写紙の合計枚数なども把握しにくい。
また、図２１の「出力パターン２」では、原稿画像毎の番号が付加されていないため、原稿ページが何番の原稿画像が、どの転写紙上に形成されて出力されたか分かりにくい。
【０００５】
本発明の課題は、より明確に、どの原稿画像がどの転写紙上に出力されたかを把握させることができる画像形成装置及び画像処理装置を提供することにある。
【課題を解決するための手段】
【０００６】
上記課題を解決するために、請求項１に記載の発明は、複数の原稿画像を予め設定された集約数毎に集約した集約原稿画像と、当該原稿画像の原稿ページに対応するページ番号と、当該集約原稿画像が転写紙上に形成されて出力される順に対応する転写紙番号と、を備えた合成画像を合成する合成手段と、前記集約原稿画像の１箇所に前記転写紙番号を付加させるか、又は前記集約原稿画像における各原稿画像に前記転写紙番号を付加させるか、を選択可能とする選択手段と、前記合成手段により、前記選択手段で選択された内容を反映させて合成した合成画像を、前記転写紙上に形成して出力する画像形成出力手段と、を備えることを特徴とする。 
【０００７】
請求項２に記載の発明は、複数の原稿画像を、予め設定された集約数毎に集約した集約原稿画像を生成する生成手段と、前記生成手段により生成される集約原稿画像における各原稿画像に、当該原稿画像の原稿ページに対応するページ番号を付加する設定を行うページ番号設定手段と、前記生成手段により生成される集約原稿画像の１箇所に、当該集約原稿画像が転写紙上に形成されて出力される順に対応する転写紙番号を付加する設定を行う第１の転写紙番号設定手段と、前記生成手段により生成される集約原稿画像における各原稿画像に、前記転写紙番号を付加する設定を行う第２の転写紙番号設定手段と、前記第１の転写紙番号設定手段による転写紙番号を付加する設定か、或いは前記第２の転写紙番号設定手段による転写紙番号を付加する設定か、を選択する選択手段と、前記生成手段により生成された集約原稿画像に、前記ページ番号設定手段により設定されたページ番号と、前記選択手段により選択された前記第１又は第２の転写紙番号設定手段により設定された転写紙番号と、を付加した合成画像を合成する合成手段と、前記合成手段により合成された合成画像を、前記転写紙上に形成して出力する画像形成出力手段と、を備えることを特徴とする。 
【０００９】
請求項３に記載の発明は、請求項２に記載の画像形成装置において、前記合成手段による前記転写紙番号の付加位置を選択する付加位置選択手段を備えることを特徴とする。 
【００１０】
請求項４に記載の発明は、複数のページ画像を、予め設定された集約数毎に集約した集約ページ画像を生成する生成手段と、前記生成手段により生成される集約ページ画像における各ページ画像に、当該ページ画像に対応するページ番号を付加する設定を行うページ番号設定手段と、前記生成手段により生成される集約ページ画像の１箇所に、当該集約ページ画像が生成される順に対応する集約ページ番号を付加する設定を行う第１の集約ページ番号設定手段と、前記生成手段により生成される集約ページ画像における各ページ画像に、前記集約ページ番号を付加する設定を行う第２の集約ページ番号設定手段と、前記第１の集約ページ番号設定手段による集約ページ番号を付加する設定か、或いは前記第２の集約ページ番号設定手段による集約ページ番号を付加する設定か、を選択する選択手段と、前記生成手段により生成された集約ページ画像と、前記ページ番号設定手段により設定されたページ番号と、前記選択手段により選択された前記第１又は第２の集約ページ番号設定手段により設定された集約ページ番号と、を備えた合成画像を合成する合成手段と、を備えることを特徴とする。 
【発明の効果】
【００１１】
請求項１に記載の発明によれば、原稿画像を集約した集約原稿画像と、当該原稿画像の原稿ページに対応するページ番号と、当該集約原稿画像が転写紙上に形成されて出力される順に対応する転写紙番号と、を備えた合成画像を転写紙上に形成して出力することができる。したがって、ページ番号によって、原稿ページが何番の原稿画像が、どの転写紙上に形成されて出力されたかを把握することができ、且つ、転写紙番号によって、どの原稿画像が、何枚目の転写紙上に形成されて出力されたかを把握することができる。すなわち、より明確に、どの原稿画像がどの転写紙上に形成されて出力されたか把握することができる。これにより、例えば、所望の原稿画像を探す際や、出力枚数を管理する際などの手間を省くことができるようになる。
また、オペレータは、集約原稿画像に付加する転写紙番号の個数を選択することができる。したがって、オペレータの好みに応じたデザインの合成画像を転写紙上に形成して出力することができる。
【００１２】
請求項２に記載の発明によれば、原稿画像を集約した集約原稿画像に、当該原稿画像の原稿ページに対応するページ番号と、当該集約原稿画像が転写紙上に形成されて出力される順に対応する転写紙番号と、を付加した合成画像を転写紙上に形成して出力することができる。したがって、ページ番号によって、原稿ページが何番の原稿画像が、どの転写紙上に形成されて出力されたかを把握することができ、且つ、転写紙番号によって、どの原稿画像が、何枚目の転写紙上に形成されて出力されたかを把握することができる。すなわち、より明確に、どの原稿画像がどの転写紙上に形成されて出力されたか把握することができる。これにより、例えば、所望の原稿画像を探す際や、出力枚数を管理する際などの手間を省くことができるようになる。
また、オペレータは、集約原稿画像に付加する転写紙番号の個数を選択することができる。したがって、オペレータの好みに応じたデザインの合成画像を転写紙上に形成して出力することができる。
【００１４】
請求項３に記載の発明によれば、請求項２に記載の発明と同様の効果が得られることは無論のこと、オペレータは、集約原稿画像に付加する転写紙番号の位置を選択することができる。したがって、オペレータの好みに応じたレイアウトの合成画像を転写紙上に形成して出力することができる。 
【００１５】
請求項４に記載の発明によれば、ページ画像を集約した集約ページ画像と、当該ページ画像に対応するページ番号と、当該集約ページ画像が生成される順に対応する集約ページ番号と、を備えた合成画像を合成することができる。すなわち、ページ番号及び集約ページ番号によって、明確に、どのページ画像がどの集約ページ画像に集約されたかを把握することができる。これにより、例えば、所望のページ画像を探す際や、集約ページ画像の総数を管理する際などの手間を省くことができるようになる。
また、オペレータは、集約ページ画像に付加する集約ページ番号の個数を選択することができる。したがって、オペレータの好みに応じたデザインの合成画像を合成することができる。
【発明を実施するための最良の形態】
【００１６】
以下、図を参照して、本発明にかかる画像形成装置及び画像処理装置の最良の形態を詳細に説明する。なお、発明の範囲は、図示例に限定されない。
本実施形態では、画像形成装置として複写機１を例示して説明することとする。
【００１７】
＜構成＞
まず、複写機１の構成（内部構成及び機能的構成）について説明する。
【００１８】
[複写機の内部構成]
複写機１は、例えば、図１に示すように、画像読取部２０と、操作部３０と、プリンタ部４０と、給紙ユニット５０と、後処理ユニット６０と、などを備えて構成される。
【００１９】
画像読取部２０は、自動原稿送り機構であるＡＤＦ（Auto Document Feeder）部２１と、スキャナ部２２と、などを備えている。
具体的には、ＡＤＦ部２１は、ＡＤＦ制御部２１ａ（後述）からの指示に従って、原稿送りトレイ２１１に載置された原稿を、スキャナ部２２の原稿台２２１上に送り込む。そして、スキャナ部２２による原稿画像の読み取りが完了すると、原稿を原稿排紙トレイ２１２に送り出す。
スキャナ部２２は、スキャナ制御部２２ａ（後述）からの指示に従って、原稿台２２１上の原稿に光を投射する。そして、その光の反射光をＣＣＤ（Charge Coupled Device）２２２（後述）により読み取って、アナログ画像信号に光電変換する。
【００２０】
操作部３０は、上面がタッチパネル（図示省略）で覆われたＬＣＤ（Liquid Crystal Display）３１（後述）と、各種操作ボタン（図示省略）と、などを備えている。
具体的には、ＬＣＤ３１は、操作部制御部３０ａ（後述）から入力される表示信号に従って所与の表示処理を行う。
ＬＣＤ３１の上面を覆うタッチパネル（図示省略）は、手指や専用のタッチペンなどで指定されたＬＣＤ３１上の位置を検出して、操作部制御部３０ａに出力する。
各種操作ボタン（図示省略）は、例えば、「スタート」ボタンなどを有しており、オペレータのボタン操作に伴う押下信号を操作部制御部３０ａに出力する。
【００２１】
プリンタ部４０は、画像形成部４１などを備えている。
具体的には、画像形成部４１は、給紙ユニット５０から給紙された転写紙を搬送する搬送機構４１１と、転写紙上に画像を書き込む画像書込部４１２と、転写紙上に形成されたトナー像を加熱及び加圧して定着させる定着部４１３と、などを備えており、プリンタ制御部４０ａ（後述）からの指示に従って、転写紙上に画像を形成して出力する。
【００２２】
画像書込部４１２は、像担持体である感光体ドラムと、感光体ドラムの帯電を行う帯電部と、プリント用データに基づいて感光体ドラム表面に露光走査する露光部と、感光体ドラムにトナーを付着させる現像部と、感光体ドラム上に形成されたトナー像を転写紙上に転写する転写部と、感光体ドラム上の残トナーを除去するクリーニング部と、などを備えている。
【００２３】
定着部４１３は、転写紙を加熱する加熱ローラと、転写紙を加圧する加圧ローラと、などを備えている。定着部４１３では、トナー像が形成された転写紙を、加熱ローラ及び加圧ローラに通過させることによって、転写紙上に画像を定着させる。
【００２４】
給紙ユニット５０は、給紙用の各種転写紙を収容するトレイ５１，５２，５３，５４などを備えている。トレイ５１，５２，５３，５４には、それぞれ、紙種（普通紙、再生紙、上質紙など）、サイズ、色、穴あきの有無、などが異なる転写紙を収容することができるようになっている。
なお、トレイの個数は、図１の限りでなく任意である。また、転写紙は、例えば、ＯＨＰ（Over Head Projector）シートなどの紙以外の材質のものであってもよい。
【００２５】
後処理ユニット６０は、画像形成された転写紙のソート処理を行うソート部、断裁処理を行う断裁部、パンチ穴をあける穴あけ処理を行う穴あけ部、ステープルをとめるステープル処理を行うステープル部、などのうちの少なくとも一つを備えている。プリンタ部４０により画像形成された転写紙は、後処理ユニット６０において、後処理が施されて、或いは後処理が施されないまま、排紙トレイ６１から排紙される。
【００２６】
[複写機の機能的構成]
複写機１は、例えば、図２に示すように、画像処理装置としての制御部１０と、画像読取部２０と、操作部３０と、プリンタ部４０と、などを備えて構成される。
【００２７】
制御部１０は、画像制御ＣＰＵ（Central Processing Unit）１１と、システムメモリ１１ａと、プログラムメモリ１１ｂと、不揮発メモリ１１ｃと、読取処理部１３と、圧縮・伸長ＩＣ（Integrated Circuit）１４と、画像メモリ１５と、ＤＲＡＭ（Dynamic Random Access Memory）制御ＩＣ１６と、書込処理部１７と、などを備えている。
【００２８】
画像制御ＣＰＵ１１は、プログラムメモリ１１ｂに記憶された複写機１用の各種処理プログラムに従って各種の制御動作を行う。
【００２９】
システムメモリ１１ａは、例えば、ＲＡＭ（Random Access Memory）から構成され、画像制御ＣＰＵ１１によって実行される処理プログラムなどを展開するためのプログラム格納領域や、入力データや上記処理プログラムが実行される際に生じる処理結果などを格納するデータ格納領域などを備える。
【００３０】
プログラムメモリ１１ｂは、複写機１で実行可能なシステムプログラム、当該システムプログラムで実行可能な各種処理プログラムなどを記憶する。なお、プログラムは、コンピュータが読み取り可能なプログラムコードの形でプログラムメモリ１１ｂに記憶されている。
具体的には、プログラムメモリ１１ｂには、例えば、図２に示すように、生成プログラム１１ｂ１、ページ番号設定プログラム１１ｂ２、転写紙番号設定プログラム１１ｂ３、合成プログラム１１ｂ４などが記憶されている。
【００３１】
生成プログラム１１ｂ１は、画像制御ＣＰＵ１１に、複数の原稿画像を、予め設定された集約数毎に集約した集約原稿画像を生成する機能を実現させる。
画像制御ＣＰＵ１１は、かかる生成プログラム１１ｂ１を実行することによって、生成手段として機能する。
【００３２】
ページ番号設定プログラム１１ｂ２は、画像制御ＣＰＵ１１に、生成プログラム１１ｂ１を実行した画像制御ＣＰＵ１１により生成される集約原稿画像における各原稿画像に、当該原稿画像の原稿ページに対応するページ番号を付加する設定を行う機能を実現させる。
画像制御ＣＰＵ１１は、かかるページ番号設定プログラム１１ｂ２を実行することによって、ページ番号設定手段として機能する。
【００３３】
転写紙番号設定プログラム１１ｂ３は、画像制御ＣＰＵ１１に、生成プログラム１１ｂ１を実行した画像制御ＣＰＵ１１により生成される集約原稿画像に、当該集約原稿画像が転写紙上に形成されて出力される順に対応する転写紙番号を付加する設定を行う機能を実現させる。
具体的には、画像制御ＣＰＵ１１は、転写紙番号設定プログラム１１ｂ３を実行して、集約原稿画像の１箇所に、或いは集約原稿画像における各原稿画像に、転写紙番号を付加する設定を行う。
画像制御ＣＰＵ１１は、かかる転写紙番号設定プログラム１１ｂ３を実行することによって、転写紙番号設定手段、第１の転写紙番号設定手段及び第２の転写紙番号設定手段として機能する。
【００３４】
合成プログラム１１ｂ４は、画像制御ＣＰＵ１１に、複数の原稿画像を予め設定された集約数毎に集約した集約原稿画像と、当該原稿画像の原稿ページに対応するページ番号と、当該集約原稿画像が転写紙上に形成されて出力される順に対応する転写紙番号と、を備えた合成画像を合成する機能を実現させる。
具体的には、画像制御ＣＰＵ１１は、合成プログラム１１ｂ４を実行して、生成プログラム１１ｂ１を実行した画像制御ＣＰＵ１１により生成された集約原稿画像に、ページ番号設定プログラム１１ｂ２を実行した画像制御ＣＰＵ１１により設定されたページ番号と、転写紙番号設定プログラム１１ｂ３を実行した画像制御ＣＰＵ１１により設定された転写紙番号と、を付加した合成画像を合成する。
画像制御ＣＰＵ１１は、かかる合成プログラム１１ｂ４を実行することによって、合成手段として機能する。
【００３５】
不揮発メモリ１１ｃは、少なくともデータ書き換えが可能なフラッシュメモリなどから構成され、例えば、画像制御ＣＰＵ１１がプログラムメモリ１１ｂに記憶された各種処理プログラムを実行する際に使用されるデータ、画像制御ＣＰＵ１１によって演算処理された処理結果のデータなどを記憶する。
【００３６】
読取処理部１３は、画像読取部２０のＣＣＤ２２２（後述）から入力されるアナログ画像信号に、アナログ処理、シェーディング処理などの各種処理を施した後、Ａ／Ｄ変換処理を行って、デジタル画像データを生成する。そして、生成した画像データを、ＤＲＡＭ制御ＩＣ１６に出力する。
【００３７】
圧縮・伸長ＩＣ１４は、ＤＲＡＭ制御ＩＣ１６からの指示に従って、画像データに、圧縮処理、或いは伸長処理を施す。
【００３８】
画像メモリ１５は、ＤＲＡＭから構成され、ＤＲＡＭ制御ＩＣ１６からの指示に従って、ＤＲＡＭ制御ＩＣ１６から入力された画像データ（圧縮画像データ、或いは非圧縮画像データ）などを記憶するためのメモリである。
【００３９】
ＤＲＡＭ制御ＩＣ１６は、画像制御ＣＰＵ１１からの指示に従って、圧縮・伸長ＩＣ１４を制御するとともに、画像メモリ１５への画像データの入出力制御を行う。
具体的には、例えば、画像制御ＣＰＵ１１から、画像読取部２０により読み取られた原稿画像の画像データを圧縮して保存するよう指示されると、ＤＲＡＭ制御ＩＣ１６は、読取処理部１３から入力された画像データを圧縮・伸長ＩＣ１４に出力し、圧縮・伸長ＩＣ１４を制御して、当該画像データに対して圧縮処理を施させる。そして、ＤＲＡＭ制御ＩＣ１６は、当該圧縮処理が施された画像データ（圧縮画像データ）を、画像メモリ１５に記憶させる。
一方、例えば、画像制御ＣＰＵ１１から、画像読取部２０により読み取られた原稿画像の画像データを圧縮せずに保存するよう指示されると、ＤＲＡＭ制御ＩＣ１６は、読取処理部１３から入力された画像データ（非圧縮画像データ）を、画像メモリ１５に記憶させる。
また、画像制御ＣＰＵ１１から、画像メモリ１５に記憶された圧縮画像データに基づく画像の形成・出力が指示されると、ＤＲＡＭ制御ＩＣ１６は、当該圧縮画像データを画像メモリ１５から取得して圧縮・伸長ＩＣ１４に出力し、圧縮・伸長ＩＣ１４を制御して、当該圧縮画像データに対して伸長処理を施させる。そして、当該伸長処理が施された画像データを、画像メモリ１５に、一時的に記憶させ、所定のタイミングで書込処理部１７に出力する。
一方、画像制御ＣＰＵ１１から、画像メモリ１５に記憶された非圧縮画像データに基づく画像の形成・出力が指示されると、ＤＲＡＭ制御ＩＣ１６は、当該非圧縮画像データを画像メモリ１５から取得して、所定のタイミングで書込処理部１７に出力する。
【００４０】
書込処理部１７は、ＤＲＡＭ制御ＩＣ１６から入力され、画像制御ＣＰＵ１１により拡大・縮小、回転、位置変更などの画像処理が施された画像データに基づいて、画像形成のためのプリント用データを生成し、プリンタ部４０の画像形成部４１に出力する。
【００４１】
画像読取部２０は、ＣＣＤ２２２と、スキャナ制御部２２ａと、ＡＤＦ制御部２１ａと、などを備えている。
スキャナ制御部２２ａ及びＡＤＦ制御部２１ａは、それぞれ、画像制御ＣＰＵ１１からの指示に従って、スキャナ部２２及びＡＤＦ部２１を制御する。
ＣＣＤ２２２は、スキャナ制御部２２ａからの指示に従って、原稿台２２１上の原稿に投射した光の反射光を、アナログ画像信号に光電変換して、制御部１０の読取処理部１３に出力する。
【００４２】
操作部３０は、上面がタッチパネル（図示省略）で覆われたＬＣＤ３１と、操作部制御部３０ａと、各種操作ボタン（図示省略）と、などを備えている。
具体的には、操作部制御部３０ａは、画像制御ＣＰＵ１１からの指示に従って、ＬＣＤ３１を制御する。また、操作部制御部３０ａは、タッチパネル（図示省略）や各種操作ボタン（図示省略）などから入力される信号を、画像制御ＣＰＵ１１に出力する。
【００４３】
より具体的には、操作部３０のタッチパネル（図示省略）は、例えば、選択手段として、オペレータが、転写紙番号設定プログラム１１ｂ３を実行した画像制御ＣＰＵ１１による転写紙番号の設定の仕方、すなわち、集約原稿画像の１箇所に転写紙番号を付加する設定か、或いは集約原稿画像における各原稿画像に転写紙番号を付加する設定か、を選択する際に使用される。
また、操作部３０のタッチパネル（図示省略）は、例えば、付加位置選択手段として、オペレータが、合成プログラム１１ｂ４を実行した画像制御ＣＰＵ１１による転写紙番号の付加位置を選択する際に使用される。
【００４４】
プリンタ部４０は、画像形成部４１と、プリンタ制御部４０ａと、などを備えており、画像形成出力手段として、合成プログラム１１ｂ４を実行した画像制御ＣＰＵ１１により合成された合成画像を、転写紙上に形成して出力する。
プリンタ制御部４０ａは、画像制御ＣＰＵ１１からの指示に従って、画像形成部４１を制御する。
画像形成部４１は、プリンタ制御部４０ａからの指示に従って、書込処理部１７から入力されたプリント用データに基づく画像を、転写紙上に形成して出力する。
なお、プリンタ部４０における出力方式は、インクジェット方式、熱転写方式、レーザ方式、昇華型方式、ＴＡ方式（Thermo-Autochrome）などのいずれの方式も使用可能である。
【００４５】
＜処理＞
次に、複写機１における処理（[集約方法設定処理]、[ページ番号及び転写紙番号設定処理]、[原稿画像読取処理]、[第１の合成画像形成出力処理]及び[第２の合成画像形成出力処理]）について説明する。
【００４６】
[集約方法設定処理]
まず、複写機１における集約方法の設定に関する処理について、図３〜図７を参照して説明する。
【００４７】
複写機１の電源が投入されると、画像制御ＣＰＵ１１は、操作部３０の操作部制御部３０ａに指示を出して、ＬＣＤ３１に、例えば、図３に示すような、メインメニュー画面Ａ１を表示させる。
具体的には、メインメニュー画面Ａ１には、例えば、「応用機能」キーｋ１１や、「原稿設定」ｍ１１などが表示されている。
【００４８】
次いで、「応用機能」キーｋ１１が押下されると、画像制御ＣＰＵ１１は、ＬＣＤ３１に、例えば、図４に示すような、応用機能選択画面Ａ２を表示させる。
具体的には、応用機能選択画面Ａ２には、例えば、「１枚集約」キーｋ２１や、「スタンプ／オーバーレイ」キーｋ２２、「ＯＫ」キーｋ２３などが表示されている。
【００４９】
次いで、「１枚集約」キーｋ２１が押下されると、画像制御ＣＰＵ１１は、ＬＣＤ３１に、例えば、図５に示すような、１枚集約モード画面Ａ３を表示させる。この１枚集約モード画面Ａ３では、集約方法（集約数など）を設定することができる。
具体的には、１枚集約モード画面Ａ３には、例えば、各種「集約モード選択」キーｋ３１や、「ＯＫ」キーｋ３２などが表示されている。
【００５０】
より具体的には、例えば、各種「集約モード選択」キーｋ３１のうちの「２ｉｎ１」キーｋ３１１が選択されると、複写機１は、原稿画像を、当該選択されたキーに表示された集約数（「２」）と配置で集約した集約原稿画像を印字する。
また、例えば、各種「集約モード選択」キーｋ３１のうちの「４ｉｎ１」キーｋ３１２又は「４ｉｎ１」キーｋ３１４が選択されると、複写機１は、原稿画像を、当該選択されたキーに表示された集約数（「４」）と配置で集約した集約原稿画像を印字する。
また、例えば、各種「集約モード選択」キーｋ３１のうちの「８ｉｎ１」キーｋ３１３又は「８ｉｎ１」キーｋ３１５が選択されると、複写機１は、原稿画像を、当該選択されたキーに表示された集約数（「８」）と配置で集約した集約原稿画像を印字する。
【００５１】
次いで、各種「集約モード選択」キーｋ３１の何れか一つが押下され、その後に「ＯＫ」キーｋ３２が押下されると、画像制御ＣＰＵ１１は、ＬＣＤ３１に、例えば、図６に示すような、「１枚集約」が設定された応用機能選択画面Ａ２ａを表示させる。
具体的には、「１枚集約」が設定された応用機能選択画面Ａ２ａでは、「１枚集約」キーｋ２１が、応用機能選択画面Ａ２（図４）の「１枚集約」キーｋ２１と異なる態様で表示されている。
【００５２】
次いで、「１枚集約」が設定された応用機能選択画面Ａ２ａ（図６）の「ＯＫ」キーｋ２３が押下されると、画像制御ＣＰＵ１１は、ＬＣＤ３１に、例えば、図７に示すような、「原稿設定」が設定されたメインメニュー画面Ａ１ａを表示させ、本処理を終了する。
具体的には、「原稿設定」が設定されたメインメニュー画面Ａ１ａでは、「原稿設定」ｍ１１が、メインメニュー画面Ａ１（図３）の「原稿設定」ｍ１１と異なる態様で表示されている。
【００５３】
[ページ番号及び転写紙番号設定処理]
次に、複写機１におけるページ番号及び転写紙番号の設定に関する処理について、図３、図４、図７、図８〜図１２を参照して説明する。
【００５４】
メインメニュー画面Ａ１（図３）の「応用機能」キーｋ１１が押下され、次いで、応用機能選択画面Ａ２（図４）の「スタンプ／オーバーレイ」キーｋ２２が押下されると、画像制御ＣＰＵ１１は、操作部３０の操作部制御部３０ａに指示を出して、ＬＣＤ３１に、例えば、図８に示すような、スタンプ／オーバーレイモード画面Ａ４を表示させる。
具体的には、スタンプ／オーバーレイモード画面Ａ４には、例えば、「ページ」キーｋ４１や「ＯＫ」キーｋ４２などが表示されている。
【００５５】
次いで、「ページ」キーｋ４１が押下されると、画像制御ＣＰＵ１１は、ＬＣＤ３１に、例えば、図９に示すような、ページ印字モード画面Ａ５を表示させる。このページ印字モード画面Ａ５では、ページ番号のスタートナンバーや、表記方法、印字位置などを設定することができる。
具体的には、ページ印字モード画面Ａ５には、例えば、「スタートナンバー」キーｋ５１や、各種「ページ種類」キーｋ５２、各種「印字位置選択」キーｋ５３、「集約ページ印字」キーｋ５４、「ＯＫ」キーｋ５５などが表示されている。
【００５６】
より具体的には、例えば、オペレータは、「スタートナンバー」キーｋ５１を押下することによって、ページ番号のスタートナンバーを設定することができる。例えば、図９においては、ページ番号のスタートナンバーは、「スタートナンバー」ｍ５１に示すように、「１」に設定されている。
また、例えば、オペレータは、各種「ページ種類」キーｋ５２の何れか一つを押下することによって、ページ番号の表記方法を設定することができる。例えば、図９においては、ページ番号の表記方法は、「-1-，-2-，-3-」に設定されている。
また、例えば、オペレータは、各種「印字位置選択」キーｋ５３の何れか一つを押下することによって、ページ番号の印字位置を設定することができる。例えば、図９においては、ページ番号の印字位置は、「中央下」に設定されている。
【００５７】
次いで、ページ番号のスタートナンバーや、表記方法、印字位置などが設定され、その後に「集約ページ印字」キーｋ５４が押下されると、画像制御ＣＰＵ１１は、ＬＣＤ３１に、例えば、図１０に示すような、集約用ページ印字設定画面Ａ６を表示させる。この集約用ページ印字設定画面Ａ６では、転写紙番号の印字個数を設定することができる。
具体的には、集約用ページ印字設定画面Ａ６には、例えば、各種「印字個数」キーｋ６１や、「印字モード」キーｋ６２、「ＯＫ」キーｋ６３などが表示されている。
【００５８】
より具体的には、例えば、各種「印字個数」キーｋ６１のうちの「無し」キーｋ６１１が選択されると、複写機１は、転写紙番号を印字しない。
また、例えば、各種「印字個数」キーｋ６１のうちの「全画像に印字」キーｋ６１２が選択されると、複写機１は、転写紙の１面に対して、集約数分の転写紙番号を印字する。
また、例えば、各種「印字個数」キーｋ６１のうちの「１面に１箇所」キーｋ６１３が選択されると、複写機１は、転写紙の１面に対して、１個の転写紙番号を印字する。
【００５９】
次いで、各種「印字個数」キーｋ６１の何れか一つが押下され、その後に「印字モード」キーｋ６２が押下されると、画像制御ＣＰＵ１１は、ＬＣＤ３１に、例えば、図１１に示すような、集約用ページ印字モード画面Ａ７を表示させる。この集約用ページ印字モード画面Ａ７では、転写紙番号のスタートナンバーや、表記方法、印字位置（付加位置）などを設定することができる。
具体的には、集約用ページ印字モード画面Ａ７には、例えば、「スタートナンバー」キーｋ７１や、各種「ページ種類」キーｋ７２、各種「印字位置選択」キーｋ７３、「ＯＫ」キーｋ７４などが表示されている。
【００６０】
より具体的には、例えば、オペレータは、「スタートナンバー」キーｋ７１を押下することによって、転写紙番号のスタートナンバーを設定することができる。例えば、図１１においては、転写紙番号のスタートナンバーは、「スタートナンバー」ｍ７１に示すように、「１」に設定されている。
また、例えば、オペレータは、各種「ページ種類」キーｋ７２の何れか一つを押下することによって、転写紙番号の表記方法を設定することができる。例えば、図１１においては、転写紙番号の表記方法は、「1，2，3」に設定されている。
また、例えば、オペレータは、各種「印字位置選択」キーｋ７３の何れか一つを押下することによって、転写紙番号の印字位置（付加位置）を設定することができる。例えば、図１１においては、転写紙番号の印字位置は、「左上」に設定されている。
【００６１】
次いで、オペレータによって、転写紙番号のスタートナンバーや、表記方法、印字位置（付加位置）などが設定され、その後に「ＯＫ」キーｋ７４が押下されると、画像制御ＣＰＵ１１は、ＬＣＤ３１に、例えば、図１２に示すような、「スタンプ／オーバーレイ」が設定された応用機能選択画面Ａ２ｂが表示させる。
具体的には、「スタンプ／オーバーレイ」が設定された応用機能選択画面Ａ２ｂでは、「スタンプ／オーバーレイ」キーｋ２２が、応用機能選択画面Ａ２（図４）の「スタンプ／オーバーレイ」キーｋ２２と異なる態様で表示されている。
【００６２】
次いで、「スタンプ／オーバーレイ」が設定された応用機能選択画面Ａ２ｂ（図１２）の「ＯＫ」キーｋ２３が押下されると、画像制御ＣＰＵ１１は、ＬＣＤ３１に、例えば、「原稿設定」が設定されたメインメニュー画面Ａ１ａ（図７）を表示させ、本処理を終了する。
【００６３】
[原稿画像読取処理]
次に、複写機１における原稿画像の読み取りに関する処理について、図１３のフローチャートを参照して説明する。
【００６４】
まず、前述した複写機１における集約方法の設定に関する処理（[集約方法設定処理]）を行い（ステップＳ１）、次いで、前述した複写機１におけるページ番号及び転写紙番号の設定に関する処理（[ページ番号及び転写紙番号設定処理]）を行い（ステップＳ２）、次いで、操作部３０の各種操作ボタン（図示省略）のうちの「スタート」ボタンが押下されると（ステップＳ３）、画像制御ＣＰＵ１１は、画像読取部２０のＡＤＦ制御部２１ａに指示を出して、ＡＤＦ部２１に、原稿送りトレイ２１１に載置された原稿をスキャナ部２２の原稿台２２１上に送り込ませ、そして、画像読取部２０のスキャナ制御部２２ａに指示を出して、スキャナ部２２（スキャナ部２２のＣＣＤ２２２）に、当該送り込まれた原稿台２２１上の原稿から原稿画像を読み取らせる（ステップＳ４）。
【００６５】
次いで、画像制御ＣＰＵ１１は、ＤＲＡＭ制御ＩＣ１６に指示を出して、ステップＳ４で読み取った原稿画像（ステップＳ４で読み取った原稿画像の画像データ）を、画像メモリ１５に記憶させる（ステップＳ５）。
【００６６】
次いで、画像制御ＣＰＵ１１は、ＡＤＦ制御部２１ａを介して、原稿が原稿送りトレイ２１１に残っているか否かを判断する（ステップＳ６）。
【００６７】
ステップＳ６で、原稿が原稿送りトレイ２１１に残っていると判断すると（ステップＳ６；Ｙｅｓ）、画像制御ＣＰＵ１１は、ステップＳ４以降の処理を繰り返して行う。
【００６８】
一方、ステップＳ６で、原稿が原稿送りトレイ２１１に残っていないと判断すると（ステップＳ６；Ｎｏ）、画像制御ＣＰＵ１１は、本処理を終了する。
【００６９】
[第１の合成画像形成出力処理]
次に、複写機１における合成画像の形成出力に関する第１の処理について、図１４のフローチャートを参照して説明する。
【００７０】
ここで、第１の処理においては、例えば、集約数が「４」に設定され、且つ、転写紙の１面に対して１個の転写紙番号を印字するよう設定されたとする。
具体的には、集約方法の設定処理（図１３のステップＳ１）の中で表示された１枚集約モード画面Ａ３（図５）において、例えば、各種「集約モード選択」キーｋ３１のうちの「４ｉｎ１」キーｋ３１２が選択されたとする。
また、ページ番号の設定処理（図１３のステップＳ２）の中で表示されたページ印字モード画面Ａ５（図９）において、例えば、スタートナンバーが「１」に設定され、各種「ページ種類」キーｋ５２のうちの「-1-，-2-，-3-」が選択され、各種「印字位置選択」キーｋ５３のうちの「中央下」が選択されたとする。
また、転写紙番号の設定処理（図１３のステップＳ２）の中で表示された集約用ページ印字設定画面Ａ６（図１０）において、例えば、各種「印字個数」キーｋ６１のうちの「１面に１箇所」キーｋ６１３が選択されたとする。さらに、転写紙番号の設定処理（図１３のステップＳ２）の中で表示された集約用ページ印字モード画面Ａ７（図１１）において、例えば、スタートナンバーが「１」に設定され、各種「ページ種類」キーｋ７２のうちの「1，2，3」が選択され、各種「印字位置選択」キーｋ７３のうちの「左上」が選択されたとする。
【００７１】
まず、ステップＳ１〜ステップＳ３（図１３）の処理を行うと、画像制御ＣＰＵ１１は、原稿ページを「１」に、ページ番号をスタートナンバー（例えば、「１」）に、転写紙番号をスタートナンバー（例えば、「１」）に、設定する（ステップＳ１１）。
【００７２】
次いで、画像制御ＣＰＵ１１は、ステップＳ４（図１３）で読み取った原稿画像の数が、「４（集約数）」の整数倍であるか否かを判断する（ステップＳ１２）。
【００７３】
ステップＳ１２で、読み取った原稿画像の数が「４（集約数）」の整数倍であると判断すると（ステップＳ１２；Ｙｅｓ）、画像制御ＣＰＵ１１は、ステップＳ１４の処理に移行する。
【００７４】
一方、ステップＳ１２で、読み取った原稿画像の数が「４（集約数）」の整数倍でないと判断すると（ステップＳ１２；Ｎｏ）、画像制御ＣＰＵ１１は、ＡＤＦ制御部２１ａを介して、原稿が原稿送りトレイ２１１に残っているか否かを判断する（ステップＳ１３）。
【００７５】
ステップＳ１３で、原稿が原稿送りトレイ２１１に残っていると判断すると（ステップＳ１３；Ｙｅｓ）、画像制御ＣＰＵ１１は、ステップＳ１２以降の処理を繰り返して行う。
【００７６】
一方、ステップＳ１３で、原稿が原稿送りトレイ２１１に残っていないと判断すると（ステップＳ１３；Ｎｏ）、画像制御ＣＰＵ１１は、ページ番号設定プログラム１１ｂ２を実行して、ステップＳ５（図１３）で画像メモリ１５に記憶された原稿画像のうちの、ステップＳ１１（或いはステップＳ２６）で設定した原稿ページに対応する原稿画像（以下、第１の原稿画像という。）に、ステップＳ１１（或いはステップＳ２６）で設定したページ番号を付加する設定を行う（ステップＳ１４）。
【００７７】
次いで、画像制御ＣＰＵ１１は、ステップＳ１１（或いはステップＳ２６）で設定した原稿ページ及びページ番号に、それぞれ「１」を加えて、新たな原稿ページ及びページ番号を設定する（ステップＳ１５）。
【００７８】
次いで、画像制御ＣＰＵ１１は、ページ番号設定プログラム１１ｂ２を実行して、画像メモリ１５に記憶された原稿画像のうちの、ステップＳ１５で設定した原稿ページに対応する原稿画像（以下、第２の原稿画像という。）に、ステップＳ１５で設定したページ番号を付加する設定を行う（ステップＳ１６）。
【００７９】
次いで、画像制御ＣＰＵ１１は、ステップＳ１５で設定した原稿ページ及びページ番号に、それぞれ「１」を加えて、新たな原稿ページ及びページ番号を設定する（ステップＳ１７）。
【００８０】
次いで、画像制御ＣＰＵ１１は、ページ番号設定プログラム１１ｂ２を実行して、画像メモリ１５に記憶された原稿画像のうちの、ステップＳ１７で設定した原稿ページに対応する原稿画像（以下、第３の原稿画像という。）に、ステップＳ１７で設定したページ番号を付加する設定を行う（ステップＳ１８）。
【００８１】
次いで、画像制御ＣＰＵ１１は、ステップＳ１７で設定した原稿ページ及びページ番号に、それぞれ「１」を加えて、新たな原稿ページ及びページ番号を設定する（ステップＳ１９）。
【００８２】
次いで、画像制御ＣＰＵ１１は、ページ番号設定プログラム１１ｂ２を実行して、画像メモリ１５に記憶された原稿画像のうちの、ステップＳ１９で設定した原稿ページに対応する原稿画像（以下、第４の原稿画像という。）に、ステップＳ１９で設定したページ番号を付加する設定を行う（ステップＳ２０）。
【００８３】
次いで、画像制御ＣＰＵ１１は、生成プログラム１１ｂ１を実行して、ＤＲＡＭ制御ＩＣ１６を介して、画像メモリ１５から、第１の原稿画像、第２の原稿画像、第３の原稿画像及び第４の原稿画像を取得して、第１〜第４の原稿画像を集約した集約原稿画像を生成する（ステップＳ２１）。
【００８４】
次いで、画像制御ＣＰＵ１１は、転写紙番号設定プログラム１１ｂ３を実行して、ステップＳ２１で生成した集約原稿画像に、ステップＳ１１（或いはステップＳ２６）で設定した転写紙番号を付加する設定を行う（ステップＳ２２）。
【００８５】
次いで、画像制御ＣＰＵ１１は、合成プログラム１１ｂ４を実行して、集約原稿画像に、ページ番号と、転写紙番号と、を付加した合成画像を合成する（ステップＳ２３）。
具体的には、ステップＳ２３で合成した合成画像は、ステップＳ２１で生成した集約原稿画像と、当該集約原稿画像における第１の原稿画像に付加したページ番号（ステップＳ１４で設定したページ番号）と、当該集約原稿画像における第２の原稿画像に付加したページ番号（ステップＳ１６で設定したページ番号）と、当該集約原稿画像における第３の原稿画像に付加したページ番号（ステップＳ１８で設定したページ番号）と、当該集約原稿画像における第４の原稿画像に付加したページ番号（ステップＳ２０で設定したページ番号）と、当該集約原稿画像に付加した転写紙番号（ステップＳ２２で設定した転写紙番号）と、を備えている。
【００８６】
次いで、画像制御ＣＰＵ１１は、ステップＳ２３で合成した合成画像を、書込処理部１７を介してプリンタ部４０の画像形成部４１に出力し、そして、プリンタ制御部４０ａに指示を出して、画像形成部４１に、当該合成画像を転写紙上に形成させて出力させる（ステップＳ２４）。
【００８７】
次いで、画像制御ＣＰＵ１１は、ステップＳ４（図１３）で読み取った原稿画像の全てを形成して出力したか否かを判断する（ステップＳ２５）。
【００８８】
ステップＳ２５で、読み取った原稿画像の全てを形成して出力していないと判断すると（ステップＳ２５；Ｎｏ）、画像制御ＣＰＵ１１は、ステップＳ１９で設定した原稿ページ及びページ番号と、ステップＳ１１（或いはステップＳ２６）で設定した転写紙番号と、にそれぞれ「１」を加えて、新たな原稿ページ、ページ番号及び転写紙番号を設定し（ステップＳ２６）、ステップＳ１２以降の処理を繰り返して行う。
【００８９】
一方、ステップＳ２５で、読み取った原稿画像の全てを形成して出力したと判断すると（ステップＳ２５；Ｙｅｓ）、画像制御ＣＰＵ１１は、本処理を終了する。
【００９０】
ここで、例えば、ステップＳ４（図１３）で図１５（ａ）に示す原稿（原稿１０１〜１１２）から原稿画像が読み取られたとすると、複写機１における合成画像の形成出力に関する第１の処理（図１４）においては、図１５（ｂ）に示すような、合成画像が印字された転写紙（転写紙２１０，２２０，２３０）が出力されることとなる。
具体的には、図１５（ｂ）においては、集約原稿画像（集約原稿画像Ｃ１，Ｃ２，Ｃ３）における各原稿画像に、当該原稿画像の原稿ページに対応するページ番号（ページ番号２１１，２２１，２３１）が付加されている。さらに、集約原稿画像（集約原稿画像Ｃ１，Ｃ２，Ｃ３）の１箇所に、当該集約原稿画像が転写紙上に形成されて出力される順に対応する転写紙番号（転写紙番号２１２，２２２，２３２）が付加されている。
【００９１】
また、例えば、ステップＳ４（図１３）で図１６（ａ）に示す原稿（原稿１０１〜１１１）から原稿画像が読み取られたとすると、複写機１における合成画像の形成出力に関する第１の処理（図１４）においては、図１６（ｂ）に示すような、合成画像が印字された転写紙（転写紙２１０，２２０，２３０ａ）が出力されることとなる。
なお、図１６（ａ）においては、原稿画像の数が「４（集約数）」の整数倍でない。すなわち、原稿画像の数が「１１」であり、原稿ページ「１２」に対応する原稿画像がないため、複写機１における合成画像の形成出力に関する第１の処理（図１４）においては、ステップＳ１９及びステップＳ２０の処理が省略され、ステップＳ２１の処理では第１〜第３の原稿画像を集約した集約原稿画像が生成されることとなる。
具体的には、図１６（ｂ）においては、集約原稿画像（集約原稿画像Ｃ１，Ｃ２，Ｃ３ａ）における各原稿画像に、当該原稿画像の原稿ページに対応するページ番号（ページ番号２１１，２２１，２３１）が付加されている。さらに、集約原稿画像（集約原稿画像Ｃ１，Ｃ２，Ｃ３ａ）の１個所に、当該集約原稿画像が転写紙上に形成されて出力される順に対応する転写紙番号（転写紙番号２１２，２２２，２３２）が付加されている。
【００９２】
[第２の合成画像形成出力処理]
次に、複写機１における合成画像の形成出力に関する第２の処理のについて、図１７のフローチャートを参照して説明する。
【００９３】
ここで、第２の処理においては、例えば、集約数が「４」に設定され、且つ、転写紙の１面に対して集約数分の転写紙番号を印字するよう設定されたとする。
具体的には、集約方法の設定処理（図１３のステップＳ１）の中で表示された１枚集約モード画面Ａ３（図５）において、例えば、各種「集約モード選択」キーｋ３１のうちの「４ｉｎ１」キーｋ３１２が選択されたとする。
また、ページ番号の設定処理（図１３のステップＳ２）の中で表示されたページ印字モード画面Ａ５（図９）において、例えば、スタートナンバーが「１」に設定され、各種「ページ種類」キーｋ５２のうちの「-1-，-2-，-3-」が選択され、各種「印字位置選択」キーｋ５３のうちの「中央下」が選択されたとする。
また、転写紙番号の設定処理（図１３のステップＳ２）の中で表示された集約用ページ印字設定画面Ａ６（図１０）において、例えば、各種「印字個数」キーｋ６１のうちの「全画像に印字」キーｋ６１２が選択されたとする。さらに、転写紙番号の設定処理（図１３のステップＳ２）の中で表示された集約用ページ印字モード画面Ａ７（図１１）において、例えば、スタートナンバーが「１」に設定され、各種「ページ種類」キーｋ７２のうちの「1，2，3」が選択され、各種「印字位置選択」キーｋ７３のうちの「左上」が選択されたとする。
【００９４】
まず、ステップＳ１〜ステップＳ３（図１３）の処理を行うと、画像制御ＣＰＵ１１は、原稿ページを「１」に、ページ番号をスタートナンバー（例えば、「１」）に、転写紙番号をスタートナンバー（例えば、「１」）に、設定する（ステップＳ４１）。
【００９５】
次いで、画像制御ＣＰＵ１１は、ステップＳ４（図１３）で読み取った原稿画像の数が、「４（集約数）」の整数倍であるか否かを判断する（ステップＳ４２）。
【００９６】
ステップＳ４２で、読み取った原稿画像の数が「４（集約数）」の整数倍であると判断すると（ステップＳ４２；Ｙｅｓ）、画像制御ＣＰＵ１１は、ステップＳ４４の処理に移行する。
【００９７】
一方、ステップＳ４２で、読み取った原稿画像の数が「４（集約数）」の整数倍でないと判断すると（ステップＳ４２；Ｎｏ）、画像制御ＣＰＵ１１は、ＡＤＦ制御部２１ａを介して、原稿が原稿送りトレイ２１１に残っているか否かを判断する（ステップＳ４３）。
【００９８】
ステップＳ４３で、原稿が原稿送りトレイ２１１に残っていると判断すると（ステップＳ４３；Ｙｅｓ）、画像制御ＣＰＵ１１は、ステップＳ４２以降の処理を繰り返して行う。
【００９９】
一方、ステップＳ４３で、原稿が原稿送りトレイ２１１に残っていないと判断すると（ステップＳ４３；Ｎｏ）、画像制御ＣＰＵ１１は、ページ番号設定プログラム１１ｂ２を実行して、ステップＳ５（図１３）で画像メモリ１５に記憶された原稿画像のうちの、ステップＳ４１（或いはステップＳ５９）で設定した原稿ページに対応する原稿画像（以下、第１の原稿画像という。）に、ステップＳ４１（或いはステップＳ５９）で設定したページ番号を付加する設定を行う（ステップＳ４４）。
【０１００】
次いで、画像制御ＣＰＵ１１は、転写紙番号設定プログラム１１ｂ３を実行して、第１の原稿画像に、ステップＳ４１（或いはステップＳ５９）で設定した転写紙番号を付加する設定を行う（ステップＳ４５）。
【０１０１】
次いで、画像制御ＣＰＵ１１は、ステップＳ４１（或いはステップＳ５９）で設定した原稿ページ及びページ番号に、それぞれ「１」を加えて、新たな原稿ページ及びページ番号を設定する（ステップＳ４６）。
【０１０２】
次いで、画像制御ＣＰＵ１１は、ページ番号設定プログラム１１ｂ２を実行して、画像メモリ１５に記憶された原稿画像のうちの、ステップＳ４６で設定した原稿ページに対応する原稿画像（以下、第２の原稿画像という。）に、ステップＳ４６で設定したページ番号を付加する設定を行う（ステップＳ４７）。
【０１０３】
次いで、画像制御ＣＰＵ１１は、転写紙番号設定プログラム１１ｂ３を実行して、第２の原稿画像に、ステップＳ４１（或いはステップＳ５９）で設定した転写紙番号を付加する設定を行う（ステップＳ４８）。
【０１０４】
次いで、画像制御ＣＰＵ１１は、ステップＳ４６で設定した原稿ページ及びページ番号に、それぞれ「１」を加えて、新たな原稿ページ及びページ番号を設定する（ステップＳ４９）。
【０１０５】
次いで、画像制御ＣＰＵ１１は、ページ番号設定プログラム１１ｂ２を実行して、画像メモリ１５に記憶された原稿画像のうちの、ステップＳ４９で設定した原稿ページに対応する原稿画像（以下、第３の原稿画像という。）に、ステップＳ４９で設定したページ番号を付加する設定を行う（ステップＳ５０）。
【０１０６】
次いで、画像制御ＣＰＵ１１は、転写紙番号設定プログラム１１ｂ３を実行して、第３の原稿画像に、ステップＳ４１（或いはステップＳ５９）で設定した転写紙番号を付加する設定を行う（ステップＳ５１）。
【０１０７】
次いで、画像制御ＣＰＵ１１は、ステップＳ４９で設定した原稿ページ及びページ番号に、それぞれ「１」を加えて、新たな原稿ページ及びページ番号を設定する（ステップＳ５２）。
【０１０８】
次いで、画像制御ＣＰＵ１１は、ページ番号設定プログラム１１ｂ２を実行して、画像メモリ１５に記憶された原稿画像のうちの、ステップＳ５２で設定した原稿ページに対応する原稿画像（以下、第４の原稿画像という。）に、ステップＳ５２で設定したページ番号を付加する設定を行う（ステップＳ５３）。
【０１０９】
次いで、画像制御ＣＰＵ１１は、転写紙番号設定プログラム１１ｂ３を実行して、第４の原稿画像に、ステップＳ４１（或いはステップＳ５９）で設定した転写紙番号を付加する設定を行う（ステップＳ５４）。
【０１１０】
次いで、画像制御ＣＰＵ１１は、生成プログラム１１ｂ１を実行して、ＤＲＡＭ制御ＩＣ１６を介して、画像メモリ１５から、第１の原稿画像、第２の原稿画像、第３の原稿画像及び第４の原稿画像を取得して、第１〜第４の原稿画像を集約した集約原稿画像を生成する（ステップＳ５５）。
【０１１１】
次いで、画像制御ＣＰＵ１１は、合成プログラム１１ｂ４を実行して、集約原稿画像に、ページ番号と、転写紙番号と、を付加した合成画像を合成する（ステップＳ５６）。
具体的には、ステップＳ５６で合成した合成画像は、ステップＳ５５で生成した集約原稿画像と、当該集約原稿画像における第１の原稿画像に付加したページ番号（ステップＳ４４で設定したページ番号）及び転写紙番号（ステップＳ４５で設定した転写紙番号）と、当該集約原稿画像における第２の原稿画像に付加したページ番号（ステップＳ４７で設定したページ番号）及び転写紙番号（ステップＳ４８で設定した転写紙番号）と、当該集約原稿画像における第３の原稿画像に付加したページ番号（ステップＳ５０で設定したページ番号）及び転写紙番号（ステップＳ５１で設定した転写紙番号）と、当該集約原稿画像における第４の原稿画像に付加したページ番号（ステップＳ５３で設定したページ番号）及び転写紙番号（ステップＳ５４で設定した転写紙番号）と、を備えている。
【０１１２】
次いで、画像制御ＣＰＵ１１は、ステップＳ５６で合成した合成画像を、書込処理部１７を介してプリンタ部４０の画像形成部４１に出力し、そして、プリンタ制御部４０ａに指示を出して、画像形成部４１に、当該合成画像を転写紙上に形成させて出力させる（ステップＳ５７）。
【０１１３】
次いで、画像制御ＣＰＵ１１は、ステップＳ４（図１３）で読み取った原稿画像の全てを形成して出力したか否かを判断する（ステップＳ５８）。
【０１１４】
ステップＳ５８で、読み取った原稿画像の全てを形成して出力していないと判断すると（ステップＳ５８；Ｎｏ）、画像制御ＣＰＵ１１は、ステップＳ５２で設定した原稿ページ及びページ番号と、ステップＳ４１（或いはステップＳ５９）で設定した転写紙番号と、にそれぞれ「１」を加えて、新たな原稿ページ、ページ番号及び転写紙番号を設定し（ステップＳ５９）、ステップＳ４２以降の処理を繰り返して行う。
【０１１５】
一方、ステップＳ５８で、読み取った原稿画像の全てを形成して出力したと判断すると（ステップＳ５８；Ｙｅｓ）、画像制御ＣＰＵ１１は、本処理を終了する。
【０１１６】
ここで、例えば、ステップＳ４（図１３）で図１８（ａ）に示す原稿（原稿１０１〜１１２）から原稿画像が読み取られたとすると、複写機１における合成画像の形成出力に関する第２の処理（図１７）においては、図１８（ｂ）に示すような、合成画像が印字された転写紙（転写紙３１０，３２０，３３０）が出力されることとなる。
具体的には、図１８（ｂ）においては、集約原稿画像（集約原稿画像Ｃ１，Ｃ２，Ｃ３）における各原稿画像に、当該原稿画像の原稿ページに対応するページ番号（ページ番号３１１，３２１，３３１）が付加されている。さらに、集約原稿画像（集約原稿画像Ｃ１，Ｃ２，Ｃ３）における各原稿画像に、当該集約原稿画像が転写紙上に形成された出力される順に対応する転写紙番号（転写紙番号３１２，３２２，３３２）が付加されている。
【０１１７】
また、例えば、ステップＳ４（図１３）で図１９（ａ）に示す原稿（原稿１０１〜１１１）から原稿画像が読み取られたとすると、複写機１における合成画像の形成出力に関する第２の処理（図１７）においては、図１９（ｂ）に示すような、合成画像が印字された転写紙（転写紙３１０，３２０，３３０ａ）が出力されることとなる。
なお、図１９（ａ）においては、原稿画像の数が「４（集約数）」の整数倍でない。すなわち、原稿画像の数が「１１」であり、原稿ページ「１２」に対応する原稿画像がないため、複写機１における合成画像の形成出力に関する第２の処理（図１７）においては、ステップＳ５２〜ステップＳ５４の処理が省略され、ステップＳ５５の処理では第１〜第３の原稿画像を集約した集約原稿画像が生成されることとなる。
具体的には、図１９（ｂ）においては、集約原稿画像（集約原稿画像Ｃ１，Ｃ２，Ｃ３ａ）における各原稿画像に、当該原稿画像の原稿ページに対応するページ番号（ページ番号３１１，３２１，３３１）が付加されている。さらに、集約原稿画像（集約原稿画像Ｃ１，Ｃ２，Ｃ３）における各原稿画像に、当該集約原稿画像が転写紙上に形成されて出力される順に対応する転写紙番号（転写紙番号３１２，３２２，３３２）が付加されている。
【０１１８】
以上説明した本発明の複写機１によれば、生成プログラム１１ｂ１を実行した画像制御ＣＰＵ１１によって、複数の原稿画像を、予め設定された集約数毎に集約した集約原稿画像を生成することができ、ページ番号設定プログラム１１ｂ２を実行した画像制御ＣＰＵ１１によって、生成プログラム１１ｂ１を実行した画像制御ＣＰＵ１１により生成される集約原稿画像における各原稿画像に、当該原稿画像の原稿ページに対応するページ番号を付加する設定を行うことができ、転写紙番号設定プログラム１１ｂ３を実行した画像制御ＣＰＵ１１によって、生成プログラム１１ｂ１を実行した画像制御ＣＰＵ１１により生成される集約原稿画像に、当該集約原稿画像が転写紙上に形成されて出力される順に対応する転写紙番号を付加する設定を行うことができる。さらに、合成プログラム１１ｂ４を実行した画像制御ＣＰＵ１１によって、生成プログラム１１ｂ１を実行した画像制御ＣＰＵ１１により生成された集約原稿画像に、ページ番号設定プログラム１１ｂ２を実行した画像制御ＣＰＵ１１により設定されたページ番号と、転写紙番号設定プログラム１１ｂ３を実行した画像制御ＣＰＵ１１により設定された転写紙番号と、を付加した合成画像を合成することができ、プリンタ部４０によって、合成プログラム１１ｂ４を実行した画像制御ＣＰＵ１１により合成された合成画像を、転写紙上に形成して出力することができる。
すなわち、原稿画像を集約した集約原稿画像と、当該原稿画像の原稿ページに対応するページ番号と、当該集約原稿画像が転写紙上に形成されて出力される順に対応する転写紙番号と、を備える合成画像を転写紙上に形成して出力することができる。したがって、ページ番号によって、原稿ページが何番の原稿画像が、どの転写紙上に形成されて出力されたかを把握することができ、且つ、転写紙番号によって、どの原稿画像が、何枚目の転写紙上に形成されて出力されたかを把握することができる。すなわち、より明確に、どの原稿画像がどの転写紙上に形成されて出力されたか把握することができる。これにより、例えば、所望の原稿画像を探す際や、出力枚数を管理する際などの手間を省くことができるようになる。
【０１１９】
また、オペレータは、操作部３０のタッチパネル（図示省略）を操作して、集約原稿画像の１箇所に転写紙番号を付加させるか、或いは集約原稿画像における各原稿画像に転写紙番号を付加させるか、を選択することができる。すなわち、オペレータは、集約原稿画像に付加する転写紙番号の個数を選択することができる。したがって、オペレータの好みに応じたデザインの合成画像を転写紙上に形成して出力することができる。
【０１２０】
また、オペレータは、操作部３０のタッチパネル（図示省略）を操作して、集約原稿画像に付加する転写紙番号の付加位置を選択することができる。したがって、オペレータの好みに応じたレイアウトの合成画像を転写紙上に形成して出力することができる。
【０１２１】
なお、本発明は、上記した実施の形態のものに限るものではなく、その要旨を逸脱しない範囲で適宜変更可能である。
画像形成装置は、複写機１の限りでなく、原稿画像を集約した集約原稿画像を転写紙上に形成して出力することができるのであれば、例えば、ファクシミリなどであってもよい。
また、原稿画像を、原稿から読み取る構成としたが、例えば、外部機器から受信する構成としてもよい。
【０１２２】
複写機１に画像処理装置としての制御部１０を備えるようにしたが、例えば、ＰＣ（パーソナルコンピュータ）等に画像処理装置を備えるようにしてもよい。
具体的には、複数のページ画像（実施の形態の“原稿画像”に相当）を、予め設定された集約数毎に集約した集約ページ画像（実施の形態の“集約原稿画像”に相当）を生成する機能（実施の形態の“画像制御ＣＰＵ１１が生成プログラム１１ｂ１を実行することによって実現する機能”に相当）と、当該生成される集約ページ画像における各ページ画像に、当該ページ画像に対応するページ番号を付加する設定を行う機能（実施の形態の“画像制御ＣＰＵ１１がページ番号設定プログラム１１ｂ２を実行することによって実現する機能”に相当）と、当該生成される集約ページ画像に、当該集約ページ画像が生成される順に対応する集約ページ番号（実施の形態の“転写紙番号”に相当）を付加する設定を行う機能（実施の形態の“画像制御ＣＰＵ１１が転写紙番号設定プログラム１１ｂ３を実行することによって実現する機能”に相当）と、当該生成された集約ページ画像と、当該設定されたページ番号と、当該設定された集約ページ番号と、を備えた合成画像を合成する機能（実施の形態の“画像制御ＣＰＵ１１が合成プログラム１１ｂ４を実行することによって実現する機能”に相当）と、をＰＣ等のＣＰＵに実現させるプログラムを、ＰＣ等に備えるようにしてもよい。
より具体的には、ＰＣ等に、前述したプログラムを有するアプリケーション（例えば、変換ソフト）を備え、ＰＣ等によって、ページ番号と集約ページ番号とを備えた合成画像を合成するようにしてもよい。また、ＰＣ等に、前述したプログラムを有するプリンタドライバを備え、ＰＣ等によって、ページ番号と集約ページ番号とを備えた合成画像を合成して複写機やプリンタなどに送信し、複写機やプリンタなどによって、当該合成画像を転写紙上に形成して出力するようにしてもよい。
【０１２３】
複写機１における合成画像の形成出力に関する第１の処理（図１４）及び複写機１における合成画像の形成出力に関する第２の処理（図１７）では、集約数を「４」の場合を例示して説明したが、集約数は「４」の限りでなく、複写機１において設定可能であれば任意である。無論、設定された集約数に応じて、実施の形態での説明やフローチャート（図１４及び図１７）は適宜変更される。
【０１２４】
ページ番号及び転写紙番号の付加の仕方は、図１５，１６，１８，１９の限りでなく、複写機１において設定可能であれば任意である。
また、例えば、図２０（ａ）に示す転写紙（転写紙４１０，４２０，４３０）に印字された合成画像のように、転写紙番号（転写紙番号４１２，４２２，４３２）とページ番号（ページ番号４１１，４２１，４３１）とを「−（ハイフン）」でつないで、集約原稿画像（集約原稿画像Ｃ１，Ｃ２，Ｃ３）に付加するようにしてもよい
また、ページ番号は、原稿画像の原稿ページに対応するのであれば、原稿画像の原稿ページそのままでなくてもよい。すなわち、ページ番号は、原稿ページ順であれば、読み取った原稿画像全体での通し番号でなくてもよい。具体的には、例えば、図２０（ｂ）に示す転写紙（転写紙５１０，５２０，５３０）に印字された合成画像のように、ページ番号（ページ番号５１１，５２１，５３１）は、転写紙の１面毎での通し番号であってもよい。
【０１２５】
集約原稿画像の生成方法やページ番号及び転写紙番号の付加方法などは、実施の形態での説明の限りではなく、結果的に、集約原稿画像とページ番号と転写紙番号とが転写紙上に形成されて出力されるのであれば、任意である。
【図面の簡単な説明】
【０１２６】
【図１】本発明の実施の形態における複写機の内部構成を示す断面図である。
【図２】本発明の実施の形態における複写機の機能的構成を示すブロック図である。
【図３】メインメニュー画面を示す図である。
【図４】応用機能選択画面を示す図である。
【図５】１枚集約モード画面を示す図である。
【図６】「１枚集約」が設定された応用機能選択画面を示す図である。
【図７】「原稿設定」が設定されたメインメニュー画面を示す図である。
【図８】スタンプ／オーバーレイモード画面を示す図である。
【図９】ページ印字モード画面を示す図である。
【図１０】集約用ページ印字設定画面を示す図である。
【図１１】集約用ページ印字モード画面を示す図である。
【図１２】「スタンプ／オーバーレイ」が設定された応用機能選択画面を示す図である。
【図１３】複写機における原稿画像の読み取りに関する処理を説明するためのフローチャートである。
【図１４】複写機における合成画像の形成出力に関する第１の処理を説明するためのフローチャートである。
【図１５】複写機における合成画像の形成出力に関する第１の処理において出力される合成画像を説明するための第１の図である。
【図１６】複写機における合成画像の形成出力に関する第１の処理において出力される合成画像を説明するための第２の図である。
【図１７】複写機における合成画像の形成出力に関する第２の処理を説明するためのフローチャートである。
【図１８】複写機における合成画像の形成出力に関する第２の処理において出力される合成画像を説明するための第１の図である。
【図１９】複写機における合成画像の形成出力に関する第２の処理において出力される合成画像を説明するための第２の図である。
【図２０】複写機における合成画像の形成出力に関する処理において出力される合成画像の変形例を説明するための図である。
【図２１】従来の複写機における合成画像の形成出力に関する処理において出力される合成画像の変形例を説明するための図である。
【符号の説明】
【０１２７】
１  複写機（画像形成装置）
１１  画像制御ＣＰＵ（生成手段、ページ番号設定手段、転写紙番号設定手段、第１の転写紙番号設定手段、第２の転写紙番号設定手段、合成手段）
１１ｂ１  生成プログラム（生成手段）
１１ｂ２  ページ番号設定プログラム（ページ番号設定手段）
１１ｂ３  転写紙番号設定プログラム（転写紙番号設定手段、第１の転写紙番号設定手段、第２の転写紙番号設定手段）
１１ｂ４  合成プログラム（合成手段）
３０  操作部（選択手段、付加位置選択手段）
４０  プリンタ部（画像形成出力手段）
【図１】
0004618020.tif 000002
【図２】
0004618020.tif 000003
【図３】
0004618020.tif 000004
【図４】
0004618020.tif 000005
【図５】
0004618020.tif 000006
【図６】
0004618020.tif 000007
【図７】
0004618020.tif 000008
【図８】
0004618020.tif 000009
【図９】
0004618020.tif 000010
【図１０】
0004618020.tif 000011
【図１１】
0004618020.tif 000012
【図１２】
0004618020.tif 000013
【図１３】
0004618020.tif 000014
【図１４】
0004618020.tif 000015
【図１５】
0004618020.tif 000016
【図１６】
0004618020.tif 000017
【図１７】
0004618020.tif 000018
【図１８】
0004618020.tif 000019
【図１９】
0004618020.tif 000020
【図２０】
0004618020.tif 000021
【図２１】
0004618020.tif 000022